(57)【要約】【課題】  パネルを傷付けることなしに、溶剤や該溶剤で溶かされたシーリング剤を効率よく吸引して飛散を防止することができるはみ出しシーリング剤の除去装置の提供。【解決手段】  溶剤吐出ノズル５の先端部外周には、溶剤で溶かされたシーリング剤を掃き取るブラシ５１が備えられ、このブラシ５１は、その先端部が吸引ノズル４における吸引口４２ａの開口縁部よりは少し突出する状態に設けられると共に、吸引ノズル４の吸引口４２ａはその開口縁部の短片側側面がブラシ５１の側面に当接する状態（吸引ノズル４における吸引口４２ａの開口がブラシ５１との当接部から遠ざかる方向へ長い長穴に形成されている状態）で配置されている。【選択図】        図３
2006122739.tif 000002
【特許請求の範囲】
【請求項１】
溶剤吐出ノズルの先端部外周には溶剤で溶かされたシーリング剤を掃き取るブラシが備えられ、該溶剤吐出ノズルの側方には吐出された溶剤および掃き取られたシーリング剤を吸引する吸引口を備えた吸引ノズルが配置されたはみ出しシーリング剤の除去装置において、
前記ブラシはその先端部が前記吸引ノズルにおける吸引口の開口縁部よりは突出する状態に設けられ、
前記吸引ノズルの吸引口はその開口縁部の一側面が前記ブラシの側面に当接する状態で配置され、
前記吸引ノズルは少なくともその吸引口の開口縁部が軟質素材で構成されていることを特徴とするはみ出しシーリング剤の除去装置。
【請求項２】
請求項１に記載のはみ出しシーリング剤の除去装置において、前記吸引ノズルにおける吸引口の開口が前記ブラシとの当接部から遠ざかる方向へ長い長穴に形成されていることを特徴とするはみ出しシーリング剤の除去装置。
【請求項３】
請求項２に記載のはみ出しシーリング剤の除去装置において、前記吸引ノズルにおける吸引口の開口が前記ブラシ方向へ向けて傾斜する状態で形成されていることを特徴とするはみ出しシーリング剤の除去装置。
【発明の詳細な説明】
【技術分野】
【０００１】
本発明は、はみ出しシーリング剤の除去装置に関する。
【背景技術】
【０００２】
従来のはみ出しシーリング剤の除去装置としては、例えば、図６に示すように、溶剤供給パイプ１０１にシーラント（シーリング剤）用の溶剤を吐出する溶剤吐出ノズル１０２が設けられ、該溶剤吐出ノズル１０２の周囲に塗布ブラシ１０３が取り付けられ、前記溶剤で溶かされたシーリング剤を吸入する吸入装置の吸入口１０４に備えた吸入ブラシ１０５が、前記溶剤吐出ノズル１０２および塗布ブラシ１０３の外周を所定の吸引隙間１０６を形成して円形に取り囲む状態で配設されている構造のもの（実施例１）、および、図７に示すように、溶剤吐出ノズル１０２の周囲に備えた塗布ブラシ１０３と吸入口１０４の周囲に備えた吸入ブラシ１０５とを接近させた状態で配置させた構造のもの（実施例２）が知られている（例えば、特許文献１参照）。
【０００３】
【特許文献１】実開昭６３−１１５４７１号公報
【発明の開示】
【発明が解決しようとする課題】
【０００４】
しかしながら、上述の従来の技術（実施例１）にあっては、上述のように、吸入ブラシ１０５が、溶剤吐出ノズル１０２および塗布ブラシ１０３の外周を所定の吸引隙間１０６を形成して円形に取り囲む状態で配設された構造であったため、吸入ブラシ１０５の外形がΦ２３程度の大きなものとなり、このため、吸入ブラシ１０５がインナーパネルの変化部（立ち上がり段部）１０７に当たり、その内部にある塗布ブラシ１０３がシーリング剤のはみ出し部１０８まで届かなくなるという問題があった。
【０００５】
また、内部の塗布ブラシ１０３が吸入ブラシ１０５内に隠れた状態であるため、シーリング剤の除去作業中にシーラント剤が除去されているのかどうかの確認が困難であるという問題があった。
【０００６】
これに対し、上述の従来の技術（実施例２）にあっては、上述のように、溶剤吐出ノズル１０２と吸入口１０４とを隣接して配置させることにより、実施例１のような問題の解消が可能になるが、溶剤吐出ノズル１０２と吸入口１０４との間には大きな隙間１０９が形成されているため、吐出ノズル１０２から吐出させた溶剤の全てを吸入口１０４から吸入することができず、このため、多少は溶剤が周りに飛散するという問題もある。
【０００７】
また、塗布ブラシ１０３と吸入ブラシ１０５の先端開口面が面一状態であるため、塗布ブラシ１０３でシーリング剤を掃き取るために押し付けた状態では、吸入ブラシ１０５の先端開口部が塞がれた状態となり、このため、溶剤等を吸入する力が低下し、溶剤等が周りに飛散するという問題があった。
【０００８】
本発明は、上述のような従来の問題点に着目して成されたもので、パネルを傷付けることなしに、溶剤や該溶剤で溶かされたシーリング剤を効率よく吸引して飛散を防止することができるはみ出しシーリング剤の除去装置を提供することを目的としている。
【課題を解決するための手段】
【０００９】
上述の目的を達成するために、本願請求項１に記載のはみ出しシーリング剤の除去装置は、溶剤吐出ノズルの先端部外周には溶剤で溶かされたシーリング剤を掃き取るブラシが備えられ、該溶剤吐出ノズルの側方には吐出された溶剤および掃き取られたシーリング剤を吸引する吸引口を備えた吸引ノズルが配置されたはみ出しシーリング剤の除去装置において、前記ブラシはその先端部が前記吸引ノズルにおける吸引口の開口縁部よりは突出する状態に設けられ、前記吸引ノズルの吸引口はその開口縁部の一側面が前記ブラシの側面に当接する状態で配置され、前記吸引ノズルは少なくともその吸引口の開口縁部が軟質素材で構成されていることを特徴とする手段とした。
【００１０】
また、請求項２に記載のはみ出しシーリング剤の除去装置は、請求項１に記載のはみ出しシーリング剤の除去装置において、前記吸引ノズルにおける吸引口の開口が前記ブラシとの当接部から遠ざかる方向へ長い長穴に形成されていることを特徴とする手段とした。
【００１１】
また、請求項３に記載のはみ出しシーリング剤の除去装置は、請求項２に記載のはみ出しシーリング剤の除去装置において、前記吸引ノズルにおける吸引口の開口が前記ブラシ方向へ向けて傾斜する状態で形成されていることを特徴とする手段とした。
【発明の効果】
【００１２】
請求項１に記載のはみ出しシーリング剤の除去装置では、上述のように、前記ブラシはその先端部が吸引ノズルにおける吸引口の開口縁部よりは突出する状態に設けられると共に、吸引ノズルの吸引口はその開口縁部の一側面がブラシの側面に当接する状態で配置された構成とすることにより、溶剤や該溶剤で溶かされたシーリング剤を効率よく吸引して飛散を防止することができるようになるという効果が得られる。
【００１３】
また、前記吸引ノズルは少なくともその吸引口の開口縁部が軟質素材で構成されることにより、パネルを傷付けることもない。
【００１４】
また、請求項２に記載のはみ出しシーリング剤の除去装置では、上述のように、前記吸引ノズルにおける吸引口の開口がブラシとの当接部から遠ざかる方向へ長い長穴に形成されることにより、シーリング剤に沿った装置の移動に対し吸引口から吸引される時間が長くなるため、溶剤や該溶剤で溶かされたシーリング剤を確実に吸引することができるようになる。
【００１５】
また、請求項３に記載のはみ出しシーリング剤の除去装置では、上述のように、前記吸引ノズルにおける吸引口の開口がブラシ方向へ向けて傾斜する状態で形成されることにより、吸引口におけるブラシ側の吸引力が高められるため、溶剤等の飛散防止効果を高めることができるようになる。
【発明を実施するための最良の形態】
【００１６】
以下に、本発明の実施例を図面に基づいて説明する。
【実施例１】
【００１７】
この実施例１のはみ出しシーリング剤の除去装置は、請求項１、２に記載の発明に対応する。
図１はこの実施例１のはみ出しシーリング剤の除去装置を示す全体側面図、図２は実施例１のはみ出しシーリング剤の除去装置を示す要部拡大斜視図、図３は実施例１のはみ出しシーリング剤の除去装置を示す要部拡大平面図、図４は図２のＡ方向からの要部拡大斜視図である。
【００１８】
この実施例１のはみ出しシーリング剤の除去装置は、吸引装置１と、溶剤供給装置２と、操作部３と、を主な構成として備えている。
前記吸引装置１は、吸引口１１ａを備えた吸引タンク１１と該吸引口１１ａから吸引タンク１１内への吸引力を付与するバキュームポンプ１２とで構成されている。
【００１９】
前記溶剤供給装置２は、溶剤吐出口２１ａを備えた溶剤タンク２１と、溶剤吐出口２１ａから溶剤を吐出する吐出ポンプ２２とで構成されている。
なお、前記吸引タンク１１内にはフィルタ１３が設けられていて、このフィルタ１３でろ過された溶剤が溶剤タンク２１に戻されるようになっている。
【００２０】
前記操作部３は、その本体部３１がパイプで構成されていて、その基端開口部と吸引タンク１１の吸引口１１ａとの間がフレキシブルの吸引パイプ１４で接続されている。そして、本体部３１の先端開口部にはアダプターパイプ３２を介して吸引ノズル４が接続されている。
【００２１】
前記吸引ノズル４は、その基部４１が本体部３１の先端開口部に螺合された金属製のパイプで構成されると共に、先端部４２が基部４１の先端部外周に装着固定されたゴム製のパイプで構成されている。そして、この先端部４２は、その吸引口４２ａが横長長方形状に形成されている。
【００２２】
前記本体部３１の先端側底面にはブラケット３３が固着され、該ブラケット３３の基部側にはハンドル３４が取り付けられていて、このハンドル３４にはバキュームポンプ１２および吐出ポンプ２２の電源をオン・オフするスイッチ３５が設けられている。
【００２３】
また、前記ブラケット３３の先端側には溶剤吐出ノズル５が取り付けられている。そして、この溶剤吐出ノズル５の基端開口部と溶剤供給装置２の溶剤吐出口２１ａとの間が溶剤供給パイプ２３で接続されている。
【００２４】
また、前記溶剤吐出ノズル５の先端部外周には、溶剤で溶かされたシーリング剤を掃き取るブラシ５１が備えられている。そして、このブラシ５１は、図３に示すように、その先端部が前記吸引ノズル４における吸引口４２ａの開口縁部よりは少し突出する状態に設けられると共に、図３、４に示すように、前記吸引ノズル４の吸引口４２ａはその開口縁部の短片側側面がブラシ５１の側面に当接する状態（吸引ノズル４における吸引口４２ａの開口がブラシ５１との当接部から遠ざかる方向へ長い長穴に形成されている状態）で配置されている。
【００２５】
なお、前記吸引ノズル４における吸引口４２ａの開口縁部の短片側の幅は、図４に示すように、ブラシ５１の直径と同一程度に形成されている。
【００２６】
次に、実施例１の作用・効果について説明する。
まず、この実施例１の作用の説明に当たっては、自動車のドア６の端縁部に形成されたヘミング部（パネルを折り返し重合させた部分）６１の折返しパネル端部６２からはみ出したシーリング剤を除去する場合について説明する。
【００２７】
この実施例１のはみ出しシーリング剤の除去装置では、上述のように構成されるため、操作部３およびハンドル３４を持ってブラシ５１の先端をはみ出したシーリング剤に当接させると共に、吸引口４２ａの長手方向がシーリング剤に沿う状態に配置させ、この状態でスイッチ３５をオン操作してバキュームポンプ１２および吐出ポンプ２２を駆動させると、吐出ノズル５の先端からシーリング剤へ向けて溶剤が吐出供給されると共に、吸引口４２ａからの吸引が開始される。
【００２８】
そこで、図２、４に示すように、溶剤の吐出供給によって溶解され若しくは剥がれたシーリング剤を、ブラシ５１で折返しパネル端部６２から掃き取るように操作部３を矢印方向すなわちブラシ５１方向へ移動させて行くことにより、掃き取られたシーリング剤および溶剤が吸引口４２ａから吸引される。そして、吸引タンク１１内へ吸引されたシーリング剤を含む溶剤は、余分なシーリング剤等がフィルタ１３でろ過された後、溶剤タンク２１へ戻される。
【００２９】
以上詳細に説明してきたように、この実施例１のはみ出しシーリング剤の除去装置では、前記ブラシ５１の先端部が吸引ノズル４における吸引口４２ａの開口縁部よりは突出する状態に設けられると共に、吸引ノズル４の吸引口４２ａの開口縁部の一側面をブラシ５１の側面に当接させた状態で配置させた構成とすることにより、溶剤や該溶剤で溶かされたシーリング剤を吸引口４２ａから効率よく吸引して飛散を防止することができるようになるという効果が得られる。
また、前記吸引ノズル４は少なくともその吸引口４２ａの開口縁部が軟質素材で構成されることにより、パネルを傷付けることもない。
【００３０】
また、前記吸引ノズル４における吸引口４２ａの開口がブラシ５１との当接部から遠ざかる方向へ長い長穴に形成されることにより、シーリング剤に沿った装置の移動に対し吸引口４２ａから吸引される時間が長くなるため、溶剤や該溶剤で溶かされたシーリング剤を確実に吸引することができるようになる。
【００３１】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００３２】
この実施例２は、前記実施例１におけるはみ出しシーリング剤の除去装置の変形例を示すものであり、図５の要部拡大平面図に示すように、前記吸引ノズル４における吸引口４２ａの開口がブラシ５１方向へ向けて傾斜する状態で形成されている点が前記実施例１とは相違したものである。
従って、この実施例２では、前記実施例１と同様の効果が得られる他、吸引口４２ａにおけるブラシ５１側の吸引力が高められるため、溶剤等の飛散防止効果を高めることができるようになるという追加の効果が得られる。
【００３３】
以上、本発明の実施例を図面に基づき説明してきたが、本発明は上述の実施例に限られるものではなく、本発明の要旨を逸脱しない範囲の設計変更等があっても、本発明に含まれる。
【図面の簡単な説明】
【００３４】
【図１】実施例１のはみ出しシーリング剤の除去装置を示す全体側面図である。
【図２】実施例１のはみ出しシーリング剤の除去装置を示す要部拡大斜視図である。
【図３】実施例１のはみ出しシーリング剤の除去装置を示す要部拡大平面図である。
【図４】図２のＡ方向からの要部拡大斜視図である。
【図５】実施例２のはみ出しシーリング剤の除去装置を示す要部拡大平面図である。
【図６】従来例１のはみ出しシーリング剤の除去装置示す一部切欠斜視図である。
【図７】従来例２のはみ出しシーリング剤の除去装置示す一部切欠側面図である。
【符号の説明】
【００３５】
１  吸引装置
１１  吸引タンク
１１ａ  吸引口
１２  バキュームポンプ
１３  フィルタ
１４  吸引パイプ
２  溶剤供給装置
２１  溶剤タンク
２１ａ  溶剤吐出口
２２  吐出ポンプ
２３  溶剤供給パイプ
３  操作部
３１  本体部
３２  アダプターパイプ
３３  ブラケット
３４  ハンドル
３５  スイッチ
４  吸引ノズル
４１  基部
４２  先端部
４２ａ  吸引口
５  液剤吐出ノズル
５１  ブラシ
６  自動車のドア
６１  ヘミング部
６２  折返しパネル端部
【図１】
2006122739.tif 000003
【図２】
2006122739.tif 000004
【図３】
2006122739.tif 000005
【図４】
2006122739.tif 000006
【図５】
2006122739.tif 000007
【図６】
2006122739.tif 000008
【図７】
2006122739.tif 000009